(57)【要約】【課題】  印刷装置の大型化及び製造原価上昇を抑制しつつ、レイアウト印刷の概要をユーザが容易に把握可能とすることを目的とする。【解決手段】  設定レイアウトに基づいて配置された複数ページ分の画像データ（第１画像データ）及びその他レイアウトの設定方法及びその他レイアウトに基づいて配置された複数ページ分の画像データのうち少なくとも一方を示す画像データ（第２画像データ）をテスト印刷する。これにより、テスト印刷の回数が増加することを抑制し、かつ、印刷装置の大型化及び製造原価上昇を抑制しつつ、レイアウト印刷の概要を容易かつ確実に把握することができる。【選択図】図３
2009135571.tif 000002
【特許請求の範囲】
【請求項１】
複数ページ分の画像データを１枚の記録シートに印刷するレイアウト印刷が可能な印刷装置であって、
画像データを記録シートに印刷する印刷手段と、
前記レイアウト印刷の実行時における、複数ページ分の画像データの配置を設定するための設定手段と、
複数ページ分の画像データに基づいて前記設定手段にて設定された配置である設定レイアウトを示す第１画像データを印刷させるテスト印刷の開始を指示するための指示手段と、
前記指示手段によりテスト印刷が指示されたときに、前記第１画像データと、前記設定レイアウトと異なる配置であるその他レイアウトの設定方法を示す画像及び前記その他レイアウトを示す画像のうち少なくとも一方の画像を含む第２画像データとを、前記印刷手段によって印刷させる第１実行手段と
を備えることを特徴とする印刷装置。
【請求項２】
前記指示手段により前記テスト印刷が指示されたときに、前記設定レイアウトに従って前記第１画像データを前記印刷手段によって印刷させる第２実行手段と、
前記第１実行手段及び前記第２実行手段のうちいずれを実行させるかを切り替えるための切替手段と
を備えることを特徴とする請求項１に記載の印刷装置。
【請求項３】
前記印刷手段は、記録シートの表裏両面に印刷可能であり、
さらに、前記第１実行手段は、前記設定レイアウトが記録シートの一方の面に複数ページ分の画像データを配置したものである場合に、記録シートの一方の面に前記第１画像データを印刷させ、記録シートの他方の面に前記第２画像データを印刷させることを特徴とする請求項１又は２に記載の印刷装置。
【請求項４】
前記印刷手段は、記録シートの表裏両面に印刷可能であり、
さらに、前記第１実行手段は、前記設定レイアウトが記録シートの表裏両面に複数ページ分の画像データを配置したものである場合に、前記第１画像データ及び前記第２画像データを記録シートの一方の面に印刷させることを特徴とする請求項１又は２に記載の印刷装置。
【請求項５】
原稿に記載された画像を読み取る読取手段を備えており、
さらに、前記設定手段は、前記読取手段にて読み取られる複数ページ分の画像データの配置を設定することが可能であることを特徴とする請求項１ないし４のいずれか１つに記載の印刷装置。
【発明の詳細な説明】
【技術分野】
【０００１】
本発明は、レイアウト印刷が可能な印刷装置に関するものである。
【背景技術】
【０００２】
レイアウト印刷とは、複数ページ分の画像データを１枚の記録シートに印刷する印刷形態である。レイアウト印刷として、例えば、複数ページ分の画像データを１枚の記録シートの一面に印刷するＮｉｎ１印刷や、画像データを記録シートの表裏両面に印刷する両面印刷が挙げられる。
【０００３】
そして、例えば特許文献１に記載の複写機においては、レイアウト印刷時の画像データの配置（レイアウト）を、操作部に設けられた表示部に表示することにより、レイアウト印刷の概要をユーザが容易に把握することができるようにしている。
【特許文献１】特開２００５−２４６６８３号公報
【発明の開示】
【発明が解決しようとする課題】
【０００４】
しかし、特許文献１に記載の発明において、表示部が小さいと、レイアウトを表示部に表示させることが難しいので、レイアウト印刷の概要をユーザが容易に把握することができない。
【０００５】
一方、表示部を大きくすると、印刷装置の大型化及び製造原価上昇を招いてしまう。
本発明は、上記点に鑑み、印刷装置の大型化及び製造原価上昇を抑制しつつ、レイアウト印刷の概要をユーザが容易に把握可能とすることを目的とする。
【課題を解決するための手段】
【０００６】
本発明は、上記目的を達成するために、請求項１に記載の発明では、複数ページ分の画像データを１枚の記録シートに印刷するレイアウト印刷が可能な印刷装置であって、画像データを記録シートに印刷する印刷手段と、レイアウト印刷の実行時における、複数ページ分の画像データの配置を設定するための設定手段と、複数ページ分の画像データに基づいて設定手段にて設定された配置である設定レイアウトを示す第１画像データを印刷させるテスト印刷の開始を指示するための指示手段と、指示手段によりテスト印刷が指示されたときに、第１画像データと、設定レイアウトと異なる配置であるその他レイアウトの設定方法を示す画像及びその他レイアウトを示す画像のうち少なくとも一方の画像を含む第２画像データとを、印刷手段によって印刷させる第１実行手段とを備えることを特徴とする。
【０００７】
これにより、請求項１に記載の発明では、設定レイアウトに基づいて配置された複数ページ分の画像データ（第１画像データ）が記録シートに印刷されるので、ユーザは、テスト印刷された印刷物を視認することにより、レイアウト印刷の概要を容易かつ確実に把握することができる。
【０００８】
また、請求項１に記載の発明では、その他レイアウトの設定方法及びその他レイアウトに基づいて配置された複数ページ分の画像データのうち少なくとも一方を示す画像データ（第２画像データ）が、第１画像データと共にテスト印刷されるので、設定レイアウトがユーザの希望と異なる場合であっても、再度、テスト印刷をすることなく、ユーザは、その他レイアウトの設定方法等の概要を把握することができる。
【０００９】
したがって、テスト印刷の回数が増加することを抑制し、かつ、印刷装置の大型化及び製造原価上昇を抑制しつつ、レイアウト印刷の概要を容易かつ確実に把握することができる。
【００１０】
請求項２に記載の発明では、指示手段によりテスト印刷が指示されたときに、設定レイアウトに従って第１画像データを印刷手段によって印刷させる第２実行手段と、第１実行手段及び第２実行手段のうちいずれを実行させるかを切り替えるための切替手段とを備えることを特徴とする。
【００１１】
これにより、請求項２に記載の発明では、印刷装置の利便性を向上させることができる。
請求項３に記載の発明では、印刷手段は、記録シートの表裏両面に印刷可能であり、さらに、第１実行手段は、設定レイアウトが記録シートの一方の面に複数ページ分の画像データを配置したものである場合に、記録シートの一方の面に第１画像データを印刷させ、記録シートの他方の面に第２画像データを印刷させることを特徴とする。
【００１２】
これにより、請求項３に記載の発明では、設定レイアウトに従って記録シートの一方の面に印刷された複数ページ分の画像データ（第１画像データ）を、実際（本来）の印刷時と同じ大きさで印刷することが可能となり、ユーザはレイアウト印刷の概要をより正確に把握することが可能となる。
【００１３】
なお、記録シートの他方の面には、その他レイアウトの設定方法等が印刷されるが、他方の面にその他レイアウトの設定方法等が印刷されていても支障がない場合には、テスト印刷された印刷物をそのまま使用できるので、記録シートが無駄に消費されてしまうことを防止できる。
【００１４】
請求項４に記載の発明では、印刷手段は、記録シートの表裏両面に印刷可能であり、さらに、第１実行手段は、設定レイアウトが記録シートの表裏両面に複数ページ分の画像データを配置したものである場合に、第１画像データ及び第２画像データを記録シートの一方の面に印刷させることを特徴とする。
【００１５】
これにより、請求項４に記載の発明では、片面を印刷するのみで、テスト印刷が完了することとなるので、テスト印刷に要する時間が長くなることを抑制できる。
請求項５に記載の発明では、原稿に記載された画像を読み取る読取手段を備えており、さらに、設定手段は、読取手段にて読み取られる複数ページ分の画像データの配置を設定することが可能であることを特徴とする。
【００１６】
これにより、本発明を複写機として用いた場合であっても、少なくとも請求項１に記載の発明と同様に、印刷装置の大型化及び製造原価上昇を抑制しつつ、レイアウト印刷の概要を容易かつ確実に把握することができる。
【発明を実施するための最良の形態】
【００１７】
本実施形態は、原稿に記載された画像を読み取って原稿を複写する複写（コピー）機能を有する印刷装置に本発明に係る印刷装置を適用したものであって、以下、本発明の実施形態を図面と共に説明する。
【００１８】
１．図面の説明
図１は印刷装置１の外観斜視図であり、図２は印刷装置１の電気的構成を示すブロック図であり、図３〜図６はテスト印刷の制御を示すフローチャートであり、図７〜図１０は表示部５で表示される表示例を示す図であり、図１１〜図１３はテスト印刷の出力例を示す図である。
【００１９】
２．印刷装置の概略構成
印刷装置１は、図１に示すように、上部側に原稿に記載された画像（文字も含む。）を読み取る読取部（スキャナ部）２が設けられ、下部側に用紙やＯＨＰシート等の記録シート（以下、これらを総称して用紙という。）に画像を形成（印刷）する記録部（プリンタ部）３が設けられ、読取部２と記録部３との間には、記録部３にて印刷が終了した用紙が排出される排出部３Ａが設けられている。
【００２０】
読取部２は、読取窓（図示せず。）に静止状態で載置された１枚の原稿を読み取る機能（フラットベッド読取機能）、自動原稿送り装置（図示せず。）により自動的に搬送されてくる原稿を読み取る機能（ＡＤＦ読取機能）、及び自動原稿送り装置を利用して自動的に原稿の表裏両面を読み取る両面読取機能を有する読取手段である。
【００２１】
なお、フラットベッド読取機能及びＡＤＦ読取機能は、原稿の片面に記載された画像のみ読み取る機能であり、自動的に原稿の表裏両面を読み取ることはできない。
また、ＡＤＦ読取機能及び両面読取機能は、複数枚の原稿を連続的に読み取り可能な構成となっている。
【００２２】
記録部３は、電子写真方式の画像形成装置にて構成された印刷手段であり、この記録部３は、用紙の表裏両面に画像を印刷することができる両面印刷機能を有している。
また、印刷装置１の上部前面側には、ユーザにより操作される操作部４、及び各種の情報を表示する表示部５等が設けられており、ユーザは、操作部４を操作することにより、印刷装置１の動作又は印刷装置１における各種設定を行わせることができる。
【００２３】
そして、読取部２、記録部３、操作部４及び表示部５等は、図２に示すように、制御部６により制御されており、この制御部６は、ＣＰＵ、ＲＡＭ及びＲＯＭ等からなる周知のマイクロコンピュータにて構成されている。なお、読取部２及び記録部３を制御するためのプログラム、並びに後述するテスト印刷用の制御プログラム等はＲＯＭに記憶されており、これらのプログラムは、必要に応じて読み出され、ＣＰＵで実行される。
【００２４】
また、記憶部７は、読取部２にて読み取られた読取データ等の各種データを記憶・保存することができる不揮発性記憶装置であり、本実施形態に係る記憶部７は、フラッシュメモリ等の半導体記憶装置又はＨＤＤ等の磁気記憶装置にて構成されている。
【００２５】
３．本実施形態に係る印刷装置の特徴的作動
３．１．印刷装置の特徴的作動の概略
本実施形態に係る印刷装置１は、読取部２で読み取られた画像データに基づいて、レイアウト印刷のために設定された複数ページ分の画像データの配置（以下、この配置を「設定レイアウト」という。）を示す第１画像データを作成するとともに、ユーザによりテスト印刷が指示されたときに、第１画像データ、並びに設定レイアウトと異なる配置（以下、この配置を「その他レイアウト」という。）の設定方法を示す画像及びその他レイアウトを示す画像のうち少なくとも一方の画像を含む第２画像データを記録部３で印刷することを特徴としている。
【００２６】
ここで、「レイアウト印刷」とは、複数ページ分の画像データを１枚の用紙に印刷する印刷形態をいい、特に、複数ページ分の画像データを１枚の用紙の一面側に印刷するレイアウト印刷を「Ｎｉｎ１印刷」という。
【００２７】
なお、「Ｎｉｎ１」の「Ｎ」は、１枚の用紙の一面側に印刷すべき画像データのページ数を意味している。つまり、「２ｉｎ１」とは、１枚の用紙の一面側に２ページ分の画像データをレイアウト印刷することを意味し、「４ｉｎ１」とは、１枚の用紙の一面側に４ページ分の画像データをレイアウト印刷することを意味する。
【００２８】
そして、図７に示すレイアウト設定画面Ｄ１を表示部５に表示させた状態で、操作部４を介してユーザによりいずれかのＮｉｎ１印刷のためのレイアウトが選択され、操作部４に含まれるスタートキー（図示せず。）が押下されると、読取部２で読み取られた複数ページ分の画像データが設定されたレイアウトによるＮｉｎ１印刷にて印刷される。なお、レイアウト設定画面Ｄ１は、操作部４を操作することにより表示させることができる。
【００２９】
また、テスト印刷とは、レイアウト印刷の概要等を示す画像（第１画像データや第２画像データ）を印刷することをいい、このテスト印刷は、図８に示すテスト印刷設定画面Ｄ２が表示された状態で、「ガイダンス付き印刷」又は「設定されたレイアウトで印刷」のいずれかがユーザにより選択されたときに実行される。因みに、テスト印刷設定画面Ｄ２は、図７に示すレイアウト設定画面Ｄ１にてＮｉｎ１印刷のためのレイアウトが選択された後、又は、図９に示す設定画面Ｄ３（後述）にて読取形態及び出力形態が選択された後、操作部４を操作することにより表示させることができる。
【００３０】
なお、「ガイダンス」とは、第２画像データの内容、つまり、その他レイアウトの設定方法、及びその他レイアウトを示す画像からなるレイアウト印刷の説明であり、本実施形態では、その他レイアウト及びその設定方法に加えて、現在の設定レイアウトの説明もガイダンスに含まれている。そこで、以下の説明においては、その他レイアウト及びその設定方法に加えて、現在の設定レイアウトの説明も含めて第２画像データ（ガイダンス）という（図１１〜図１３参照）。
【００３１】
また、レイアウト印刷には、Ｎｉｎ１印刷以外に、２ページ分の画像データのうち、いずれか一方のページの画像データを用紙の一方の面に印刷し、他方のページの画像データを用紙の他方の面に印刷する両面印刷形態、両面印刷形態において一方の面における印刷の向きと他方の面における印刷の向きと逆向きとする綴じ印刷形態、及びこれらの印刷形態とＮｉｎ１印刷とを組み合わせた印刷形態等がある。
【００３２】
そして、本実施形態に係る印刷装置においては、図９に示す読取形態及び出力形態を選択するための設定画面Ｄ３が表示された状態で、「両面読取−＞両面記録」又は「片面読取−＞両面記録」がユーザにより選択されると、読み取られた複数ページ分の画像データが両面印刷形態にて印刷される。
【００３３】
また、「両面読取−＞片面記録」又は「片面読取−＞片面記録」がユーザにより選択されると、読み取られた画像データがユーザにより設定された内容に従って用紙の片面（表面）に印刷される。なお、設定画面Ｄ３は、操作部４を操作することにより表示させることができる。
【００３４】
３．２．テスト印刷
上述したように、テスト印刷設定画面Ｄ２（図８参照）が表示された状態で、「ガイダンス付き印刷」又は「設定されたレイアウトで印刷（ガイダンス無し）」のいずれかが操作部４を介してユーザにより選択されると、印刷装置１はテスト印刷モードとなる。
【００３５】
そして、「ガイダンス付き印刷」が選択されて、図１０に示すガイダンス付き印刷の詳細設定画面Ｄ４が表示部５に表示され、いずれかの設定が操作部４を介してユーザにより選択されたとき、又はテスト印刷設定画面Ｄ２の「設定されたレイアウトで印刷（ガイダンス無し）」が操作部４を介してユーザにより選択されたときに、図３〜図５に示すいずれかのテスト印刷制御が起動される。
【００３６】
なお、ガイダンス付き印刷の詳細設定画面Ｄ４（図１０参照）の「１枚目に印刷」とは、第１画像データ及び第２画像データを１枚の用紙の同一面に印刷するための選択肢であり、「別紙に印刷」とは、第１画像データと第２画像データとを異なる用紙に印刷するための選択肢であり、「裏面に印刷」とは、第１画像データを用紙の一方の面に印刷し、第２画像データを同一用紙の他方の面に印刷するための選択肢である。
【００３７】
なお、図１０の詳細設定画面Ｄ４でユーザがガイダンスの印刷場所を選択しなくても、図７及び図９の選択画面Ｄ１、Ｄ３の選択結果により、ガイダンスの印刷場所を自動で選択する構成としてもよい。
【００３８】
３．２．テスト印刷（その１）
ユーザがテスト印刷する原稿を読取部２に載置させた状態で、図９に示す設定画面Ｄ３にて「片面読取−＞片面記録」が選択され、かつ、図７に示すレイアウト設定画面Ｄ１にていずれかのＮｉｎ１印刷が選択された状態で、「ガイダンス付き印刷」又は「設定されたレイアウトで印刷」が選択されると、図３に示すテスト印刷制御が起動される。
【００３９】
そして、このテスト印刷制御が起動されると、先ず、レイアウト設定画面Ｄ１を介して設定された設定レイアウト、及びガイダンス付き印刷の詳細設定画面Ｄ４にて選択された選択肢が検出された後（Ｓ１、Ｓ５）、Ｓ１にて検出された設定レイアウトに基づいて読み取るべきページ数（Ｎ）に対応する枚数の原稿がＡＤＦ読取機能により読み込まれる（Ｓ７）。
【００４０】
次に、読み取るべきページ数（Ｎ）と同数の画像データが読み取られた否かが判定され（Ｓ９）、読み取るべきページ数（Ｎ）と同数の画像データが読み取られたと判定された場合には（Ｓ９：ＹＥＳ）、読み取られた複数ページ分の画像データに基づき、Ｓ１にて検出された設定レイアウトに従った第１画像データが作成される（Ｓ１３）。
【００４１】
一方、読み取るべきページ数（Ｎ）と同数の画像データが読み取られなかったと判定された場合には（Ｓ９：ＮＯ）、読取部２に載置された原稿の枚数が読み取るべきページ数（Ｎ）より少なかったと判断され、読み取られた複数ページ分の画像データに、予め記憶部７に記憶されているサンプルデータ画像が加えられて、読み取るべきページ数（Ｎ）と同数の画像データが準備された後（Ｓ１１）、これらの画像データに基づき、Ｓ１にて検出された設定レイアウトに従った第１画像データが作成される（Ｓ１３）。
【００４２】
次に、テスト印刷設定画面Ｄ２（図８参照）において「ガイダンス付き印刷」が選択されたか否かが判定され（Ｓ１５）、「ガイダンス付き印刷」が選択されたと判定された場合には（Ｓ１５：ＹＥＳ）、ガイダンスの印刷設定が詳細設定画面Ｄ４（図１０参照）において、「別紙に印刷」又は「裏面に印刷」のいずれかが選択されたか否かが判定される（Ｓ１７）。
【００４３】
そして、「別紙に印刷」又は「裏面に印刷」のいずれも選択されていない、つまり「１枚目に印刷」が選択されたと判定された場合には（Ｓ１７：ＮＯ）、第１画像データが縮小された後（Ｓ１９）、この縮小された第１画像データと第２画像データとが、１枚の用紙の表面に印刷され（Ｓ２１）、本制御が終了する。
【００４４】
一方、「別紙に印刷」又は「裏面に印刷」のいずれかが選択されたと判定された場合には（Ｓ１７：ＹＥＳ）、第１画像データが縮小されることなく、表面に第１画像データが印刷された後（Ｓ２３）、詳細設定画面Ｄ２にて選択された内容に従って第２画像データが用紙に印刷され（Ｓ２５）、本制御が終了する。
【００４５】
つまり、Ｓ２５では、「別紙に印刷」が選択されているときには、第１画像データが印刷された用紙と異なる用紙の表面に第２画像データが印刷され、「裏面に印刷」が選択されている場合には、第１画像データが印刷された用紙の裏面に第２画像データが印刷される。
【００４６】
また、Ｓ１５にて「ガイダンス付き印刷」が選択されていない、つまり「設定されたレイアウトで印刷（ガイダンス無し）」が選択されていると判定された場合には（Ｓ１５：ＮＯ）、第１画像データが縮小されることなく、設定レイアウトにて第１画像データが印刷された後（Ｓ２７）、本制御が終了する。
【００４７】
なお、図１１は図３に示すテスト印刷制御にて印刷された印刷物の一例（Ｓ２１相当の印刷物）を示す図であり、図１１に示すテスト印刷例では、印刷物の表面上半分に２ｉｎ１印刷の設定レイアウトの第１画像データが印刷され、印刷物の表面下半分には第２画像データが印刷されている。
【００４８】
３．３．テスト印刷（その２）
ユーザがテスト印刷する原稿を読取部２に載置させた状態で、図９に示す設定画面Ｄ３にて「両面読取−＞両面記録」又は「片面読取−＞両面記録」が選択され、かつ、図７に示すレイアウト設定画面Ｄ１にてＮｉｎ１印刷が選択されていない状態で、「ガイダンス付き印刷」又は「設定されたレイアウトで印刷（ガイダンス無し）」が選択されると、図４に示すテスト印刷制御が起動される。
【００４９】
そして、このテスト印刷制御が起動されると、２ページ分に対応する原稿の読取が開始される（Ｓ４１）。具体的には、両面読取であるか否かが判定され（Ｓ４３）、両面読取でないと判定された場合には（Ｓ４３：ＮＯ）、２枚の原稿が片面読取（ＡＤＦ読取機能）にて読み込まれた後（Ｓ４５）、読み取られた２ページ分の画像データ及び決定された設定レイアウトに基づいて第１画像データが作成される（Ｓ４９）。
【００５０】
一方、両面読取であると判定された場合には（Ｓ４３：ＹＥＳ）、両面読取機能にて原稿の表裏両面の画像データが読み込まれた後（Ｓ４７）、読み取られた２ページ分の画像データ及び決定された設定レイアウトに基づいて第１画像データが作成される（Ｓ４９）。
【００５１】
次に、テスト印刷設定画面Ｄ２（図８参照）において「ガイダンス付き印刷」が選択されたか否かが判定され（Ｓ５１）、「ガイダンス付き印刷」が選択されたと判定された場合には（Ｓ５１：ＹＥＳ）、ガイダンスの印刷設定が詳細設定画面Ｄ４（図１０参照）において、「別紙に印刷」が選択されたか否かが判定される（Ｓ５３）。
【００５２】
そして、「別紙に印刷」が選択されていない、つまり「１枚目に印刷」又は「裏面に印刷」が選択されたと判定された場合には（Ｓ５３：ＮＯ）、第１画像データが縮小され（Ｓ５５）、この縮小された第１画像データが用紙の表面に印刷された後、詳細設定画面Ｄ２にて選択された内容に従って第２画像データが用紙に印刷され（Ｓ５７）、本制御が終了する。
【００５３】
つまり、Ｓ５７では、「１枚目に印刷」が選択されているときには、第１画像データが印刷されている面と同一の面（表面）に第２画像データが印刷され、「裏面に印刷」が選択されている場合には、第１画像データが印刷された用紙の裏面に第２画像データが印刷される。
【００５４】
一方、「別紙に印刷」が選択されたと判定された場合には（Ｓ５３：ＹＥＳ）、第１画像データが縮小されることなく、第１画像データの１ページ目が用紙の表面に印刷され、第１画像データの２ページ目がその用紙の裏面に印刷された後（Ｓ５９）、第１画像データが印刷された用紙と異なる用紙に第２画像データが印刷され（Ｓ６１）、本制御が終了する。
【００５５】
また、Ｓ５１にて「ガイダンス付き印刷」が選択されていない、つまり「設定されたレイアウトで印刷（ガイダンス無し）」が選択されていると判定された場合には（Ｓ５１：ＮＯ）、第１画像データが縮小されることなく設定レイアウトにて第１画像データが印刷された後（Ｓ３１）、第２画像データが印刷されることなく、本制御が終了する。
【００５６】
なお、図１２は「片面読取−＞両面記録」が選択された場合であり、かつ「１枚目に印刷」が選択されている場合におけるＳ５７にて印刷された印刷物の一例を示すものである。図１３は「両面読取−＞両面記録」が選択された場合であり、かつ「１枚目に印刷」が選択されている場合におけるＳ５７にて印刷された印刷物の一例を示すものである。図１２及び図１３には、第１画像データ及び第２画像データに加えて、印刷物の右側上部に原稿の読み取りの向きを示す画が示されている。
【００５７】
３．４．テスト印刷（その３）
ユーザが原稿を読取部２に載置させた状態で、図９に示す設定画面Ｄ３にて「両面読取−＞片面記録」が選択され、かつ、図７に示すレイアウト設定画面Ｄ１にてＮｉｎ１印刷が選択されていない状態で、「ガイダンス付き印刷」又は「設定されたレイアウトで印刷（ガイダンス無し）」が選択されると、図５に示すテスト印刷制御が起動される。
【００５８】
そして、このテスト印刷制御が起動されると、２ページ分に対応する原稿の読取が開始される（Ｓ７１）。そして、両面読取機能にて原稿の表裏両面の画像データが読み込まれた後（Ｓ７３）、読み取られた２ページ分の画像データに基づいて第１画像データが作成される（Ｓ７５）。
【００５９】
次に、テスト印刷設定画面Ｄ２（図８参照）において「ガイダンス付き印刷」が選択されたか否かが判定され（Ｓ７７）、「ガイダンス付き印刷」が選択されたと判定された場合には（Ｓ７７：ＹＥＳ）、ガイダンスの印刷設定が詳細設定画面Ｄ４（図１０参照）において、「別紙に印刷」が選択されたか否かが判定される（Ｓ７９）。
【００６０】
そして、「別紙に印刷」が選択されていない、つまり「１枚目に印刷」又は「裏面に印刷」が選択されたと判定された場合には（Ｓ７９：ＮＯ）、第１画像データが縮小された後（Ｓ８１）、この縮小された第１画像データ及び第２画像データが同じ用紙の表面に印刷され（Ｓ８３）、本制御が終了する。
【００６１】
なお、本制御では、両面印刷が許可されていないので、「裏面に印刷」が選択されている場合であっても、第２画像データは、第１画像データと共に表面に印刷される。
一方、「別紙に印刷」が選択されたと判定された場合には（Ｓ７９：ＹＥＳ）、第１画像データが縮小されることなく、第１画像データの１ページ目が１枚目の用紙の表面に印刷され、第１画像データの２ページ目が２枚目の用紙の表面に印刷された後（Ｓ８５）、第２画像データが３枚目の用紙に印刷され（Ｓ８７）、本制御が終了する。
【００６２】
また、Ｓ７７にて「ガイダンス付き印刷」が選択されていない、つまり「設定されたレイアウトで印刷（ガイダンス無し）」が選択されていると判定された場合には（Ｓ７７：ＮＯ）、第１画像データが縮小されることなく、第１画像データの１ページ目が１枚目の用紙の表面に印刷され、第１画像データの２ページ目が２枚目の用紙の表面に印刷された後（Ｓ８９）、第２画像データが印刷されることなく、本制御が終了する。
【００６３】
３．５．テスト印刷（その４）
上記のテスト印刷は、テスト印刷のみを実行することを目的とした制御（処理）であったが、本制御は、通常の複写（コピー）処理制御中にテスト印刷処理を包含したものである。
【００６４】
つまり、ユーザが複写処理を行うときに、印刷装置１からテスト印刷を実行するか否かがユーザに対して問い合わせられ、その問い合わせ結果に従って、印刷装置１がテスト印刷を実行するものである。以下、図６に基づいてその詳細を説明する。なお、図６に示す制御は、印刷装置１の電源が投入されたときに起動し、電源が遮断されたときに終了する。
【００６５】
図６に示す制御が起動されると、複写処理の開始を印刷装置１に対して指示するためのスタートキー（図示せず。）が押下されたか否かが判定され（Ｓ１０１）、スタートキーが押下されていないと判定された場合には（Ｓ１０１：ＮＯ）、待機状態となる。因みに、スタートキーは、操作部４に設けられている。
【００６６】
一方、スタートキーが押下されたと判定された場合には（Ｓ１０１：ＹＥＳ）、読取部２にて読み取られた画像データをどのようなレイアウトで印刷（出力）するかの設定をユーザに促すメッセージ、及びテスト印刷を実行するか否かの選択をユーザに促すメッセージが表示部５に表示される（Ｓ１０３、Ｓ１０５）。
【００６７】
そして、Ｓ１０５で表示されたメッセージに対するユーザからの指示に基づいて、テスト印刷を実行するか否かが判定され（Ｓ１０７）、テスト印刷を実行しないと判定された場合には（Ｓ１０７：ＮＯ）、ＡＤＦ読取機能又は両面読取機能により、読取部２に載置された全ての原稿が読み取られた後、Ｓ１０３にて設定された設定レイアウトに従って読み取られた画像データが印刷され（Ｓ１０９）、再び、Ｓ１０１が実行される。
【００６８】
一方、テスト印刷を実行すると判定された場合には（Ｓ１０７：ＹＥＳ）、ＡＤＦ読取機能又は両面読取機能により、読取部２に載置された全ての原稿が読み取られた後、その読み取られた画像データが記憶部７に記憶されるとともに（Ｓ１１１）、記憶部７に記憶された画像データに基づいて、上記のテスト印刷（その１〜３）と同様な制御にてテスト印刷が実行される（Ｓ１１３）。
【００６９】
つまり、Ｓ１１３においては、Ｓ１０３にて設定された設定レイアウト等に従って、図３の１３以降、図４のＳ４９以降又は図５のＳ７５以降のいずれかと同じ制御が実行される。
【００７０】
そして、テスト印刷が終了すると、操作部４に設けられたＯＫキー（図示せず。）が押下されたか否かに基づいて、現在の設定レイアウトをユーザが了承したか否かが判定され（Ｓ１１５）、ＯＫキーが押下されたと判定された場合には（Ｓ１１５：ＹＥＳ）、現在の設定レイアウトをユーザが了承したものとみなされて、記憶部７に記憶されている画像データの全てが設定レイアウトに従って印刷される（Ｓ１１７）。
【００７１】
一方、ＯＫキーが押下されていないと判定された場合には（Ｓ１１５：ＮＯ）、現在の設定レイアウトをユーザが却下したものとみなされて、ガイダンス（第２画像データ）に示されたその他レイアウトで印刷を実行するか否かの決定をユーザに促すメッセージが表示部５に表示されるとともに、ＯＫキーが押下されたか否かに基づいて、その他レイアウトをユーザが了承したか否かが判定される（Ｓ１２１）。
【００７２】
そして、ＯＫキーが押下されたと判定された場合には（Ｓ１２１：ＹＥＳ）、その他レイアウトをユーザが了承したものとみなされて、記憶部７に記憶されている画像データの全てがその他レイアウトに従って印刷される（Ｓ１１７）。
【００７３】
一方、ＯＫキーが押下されていないと判定された場合には（Ｓ１２１：ＮＯ）、その他レイアウトをユーザが却下したものとみなされて、記憶部７に記憶されている画像データの全てが消去された後（Ｓ１１９）、再び、Ｓ１０１が実行される。
【００７４】
また、Ｓ１１７にて、記憶部７に記憶されている画像データの全てが印刷されると、その印刷された画像データの全てが消去された後（Ｓ１１９）、再び、Ｓ１０１が実行される。
【００７５】
なお、「記憶部７に記憶されている画像データの全て」とは、テスト印刷に関連する画像データの全てであって、テスト印刷と関係がない画像データは対象外である。
４．本実施形態に係る印刷装置の特徴
本実施形態では、設定レイアウトに基づいて配置された複数ページ分の画像データ（第１画像データ）が用紙に印刷されるので、ユーザは、テスト印刷された印刷物を視認することにより、レイアウト印刷の概要を容易かつ確実に把握することができる。
【００７６】
また、本実施形態では、その他レイアウトの設定方法及びその他レイアウトに基づいて配置された複数ページ分の画像データのうち少なくとも一方を示す画像データ（第２画像データ）が、第１画像データと共にテスト印刷されるので、設定レイアウトがユーザの希望と異なる場合であっても、再度、テスト印刷をすることなく、ユーザは、その他レイアウトの設定方法等の概要を把握することができる。
【００７７】
したがって、テスト印刷の回数が増加することを抑制し、かつ、印刷装置の大型化及び製造原価上昇を抑制しつつ、レイアウト印刷の概要を容易かつ確実に把握することができる。
【００７８】
また、本実施形態では、設定レイアウトが用紙の一方の面に複数ページ分の画像データを配置したものである場合に、用紙の一方の面に第１画像データを印刷させ、用紙の他方の面に第２画像データを印刷させるので、設定レイアウトに従って用紙の一方の面に印刷された複数ページ分の画像データ（第１画像データ）を、実際（本来）の印刷時と同じ大きさで印刷することが可能となり、ユーザはレイアウト印刷の概要をより正確に把握することが可能となる。
【００７９】
このとき、用紙の他方の面には、その他レイアウトの設定方法等が印刷されるが、他方の面にその他レイアウトの設定方法等が印刷されていても支障がない場合には、テスト印刷された印刷物をそのまま使用できるので、用紙が無駄に消費されてしまうことを防止できる。
【００８０】
また、本実施形態では、設定レイアウトが用紙の表裏両面に複数ページ分の画像データを配置したものである場合に、第１画像データ及び第２画像データを用紙の一方の面に印刷させるので、片面を印刷するのみで、テスト印刷が完了することとなり、テスト印刷に要する時間が長くなることを抑制できる。
【００８１】
５．発明特定事項と実施形態との対応関係
本実施形態では、記録部３が特許請求の範囲に記載された印刷手段に相当し、図７及び図９等に示された設定画面Ｄ１、Ｄ３が特許請求の範囲に記載された設定手段に相当し、操作部４が特許請求の範囲に記載された指示手段に相当する。
【００８２】
また、Ｓ２１、Ｓ２５、Ｓ５７、Ｓ６１、Ｓ８３及びＳ８７が特許請求の範囲に記載された第１実行手段に相当し、Ｓ２７、Ｓ６３、Ｓ８９が特許請求の範囲に記載された第２実行手段に相当し、Ｓ１５、Ｓ５１、Ｓ７７が特許請求の範囲に記載された切替手段に相当し、読取部２が特許請求の範囲に記載された読取手段に相当する。
【００８３】
（その他の実施形態）
上述の実施形態では、複写機に本発明を適用した本発明はこれに限定されるものではなく、コンピュータで作成された画像データを印刷するプリンタにも適用することができ、この場合には、コンピュータにて作成された画像データに基づいてテスト印刷することができる。
【００８４】
また、上述の実施形態では、第２画像データが１ページ分相当のサイズであったが、本発明はこれに限定されるものではなく、仮に、第２画像データが１ページ分より大きいサイズであるときは、複数ページに第２画像を印刷してもよい。
【００８５】
また、本発明は、特許請求の範囲に記載された発明の趣旨に合致するものであればよく、上述の実施形態に限定されるものではない。
【図面の簡単な説明】
【００８６】
【図１】印刷装置１の外観斜視図である。
【図２】印刷装置１の電気的構成を示すブロックズである。
【図３】テスト印刷の制御を示すフローチャートである。
【図４】テスト印刷の制御を示すフローチャートである。
【図５】テスト印刷の制御を示すフローチャートである。
【図６】テスト印刷の制御を示すフローチャートである。
【図７】表示部５で表示される表示例を示す図である。
【図８】表示部５で表示される表示例を示す図である。
【図９】表示部５で表示される表示例を示す図である。
【図１０】表示部５で表示される表示例を示す図である。
【図１１】テスト印刷の出力例を示す図である。
【図１２】テスト印刷の出力例を示す図である。
【図１３】テスト印刷の出力例を示す図である。
【符号の説明】
【００８７】
１…印刷装置、２…読取部、３…記録部、４…操作部、
５…表示部、６…制御部、７…記憶部。
【図１】
2009135571.tif 000003
【図２】
2009135571.tif 000004
【図３】
2009135571.tif 000005
【図４】
2009135571.tif 000006
【図５】
2009135571.tif 000007
【図６】
2009135571.tif 000008
【図７】
2009135571.tif 000009
【図８】
2009135571.tif 000010
【図９】
2009135571.tif 000011
【図１０】
2009135571.tif 000012
【図１１】
2009135571.tif 000013
【図１２】
2009135571.tif 000014
【図１３】
2009135571.tif 000015